(57)【要約】  発呼側に対して表示情報を提供する被発呼側のための方法は、以下の、発呼者に提供される表示情報が被発呼側に設定されるステップと、発呼側−被発呼側ハンドシェーキング手順に応答するまえに、ネットワーク側は被発呼側から設定表示情報を取得すると共に、それを発呼側に対して送信するステップとを有する。従って、発呼側に対して表示情報を提供する被発呼側のためのシステムが同様に提供される。本発明によって、例えば表示情報データベースに存在している表示情報が単調であるという問題を回避するように、被発呼側ユーザが、発呼側に提供される表示情報内容を柔軟に選択することが可能になる。
2009505532.tif 000002
【特許請求の範囲】
【請求項１】
発呼者に対して表示情報を提供する被呼者のための方法であって、
前記発呼者に対して提供されるべき表示情報を前記被呼者において設定する段階と、
前記被呼者が前記発呼者と前記被呼者との間の接続手順における呼び出しに応答する前に、ネットワーク側により、前記表示情報を取得すると共に、取得された表示情報を前記発呼者に対して送信する段階と
を有することを特徴とする方法。
【請求項２】
前記表示情報を取得する前に、前記ネットワーク側により、前記発呼者と前記被呼者との間の接続手順における前記被呼者の現在の状態情報を取得する段階と、
前記表示情報を取得すると共に、もし前記被呼者がアイドル状態である場合、前記表示情報を前記発呼者に対して送信する段階と
を更に有することを特徴とする請求項１に記載の方法。
【請求項３】
前記表示情報を取得する段階が、
前記ネットワーク側により、前記表示情報を提供する前記被呼者の識別情報をあらかじめ格納する段階と、
前記ネットワーク側により、前記被呼者の識別情報が格納された被呼者の識別情報の中に存在すると判定した場合に、前記被呼者の識別情報に従って、表示情報を取得する要求を対応する被呼者に対して送信する段階と、
前記被呼者により、受信された前記表示情報を取得する要求に応答すると共に、前記表示情報を前記ネットワーク側に対して送信する段階と
を有することを特徴とする請求項１に記載の方法。
【請求項４】
異なる発呼者に対する異なる種類の表示情報が、前記被呼者において事前設定される
ことを特徴とする請求項３に記載の方法。
【請求項５】
前記被呼者において、割り当て関係が、発呼者の表示情報と発呼者の識別情報との間で確立される
ことを特徴とする請求項４に記載の方法。
【請求項６】
前記被呼者に対して送信された表示情報を取得する要求が、前記発呼者の識別情報を含み、
前記被呼者が、受信された要求の中の前記発呼者の識別情報に従って、対応する表示情報にインデックスを付けると共に、前記表示情報を前記ネットワーク側に対して送信する
ことを特徴とする請求項３または請求項４のいずれか一項に記載の方法。
【請求項７】
前記表示情報を設定する段階が、前記発呼者に対して提供された少なくとも１つの表示情報を含む表示情報のリストを設定する段階を更に有し、
前記受信された表示情報を取得する要求に応答すると共に、表示情報をネットワーク側に対して送信する段階が、
前記着呼者により、前記ネットワーク側から表示情報を取得する要求を受信した場合に、前記表示情報のリストから少なくとも１つの表示情報を選択する段階と、
選択された選択表示情報を前記ネットワーク側に対して送信する段階とを有する
ことを特徴とする請求項３に記載の方法。
【請求項８】
取得された前記表示情報を送信する前に、前記ネットワーク側が、取得された前記表示情報のメディアフォーマットを変換する
ことを特徴とする請求項１に記載の方法。
【請求項９】
前記被呼者が呼び出しに応答した後で、前記ネットワーク側が、前記発呼者に対して送信された前記表示情報の取得を中止する
ことを特徴とする請求項１に記載の方法。
【請求項１０】
前記表示情報が、オーディオ情報、ビデオ情報、オーディオ及びビデオ情報、またはテキスト情報である
ことを特徴とする請求項１または請求項２または請求項３または請求項４または請求項５または請求項６または請求項７または請求項８または請求項９のいずれか一項に記載の方法。
【請求項１１】
発呼者に対して表示情報を提供する被呼者のためのシステムであって、
前記発呼者に対して提供される表示情報を設定するように構成される表示情報設定ユニットを有する被呼者と、
前記被呼者が前記発呼者と前記被呼者との間の接続手順における呼び出しに応答する前に、前記被呼者から設定表示情報を取得すると共に、前記表示情報を前記発呼者に対して送信するように構成される取得及び送信ユニットを有するネットワーク側と
を備えることを特徴とするシステム。
【請求項１２】
前記ネットワーク側が、
前記発呼者と前記被呼者との間の接続手順における被呼者状態情報を取得すると共に、もし前記被呼者が現在アイドル状態である場合、前記表示情報を前記発呼者に対して送信するように構成される被呼者状態取得ユニットを更に備える
ことを特徴とする請求項１１に記載のシステム。
【請求項１３】
前記取得及び送信ユニットが、
前記表示情報を提供する各被呼者の識別情報をあらかじめ格納するように構成される被呼者識別情報格納サブユニットと、
前記被呼者の識別情報が被呼者識別情報格納サブユニットに格納された被呼者の識別情報の中に存在するか否かを判定するように構成される判定サブユニットと、
前記被呼者の識別情報が格納された被呼者の識別情報の中に存在すると前記判定サブユニットが判定した場合に、前記被呼者の識別情報に従って、表示情報を取得する要求を対応する被呼者に対して送信するように構成される取得サブユニットと、
前記取得サブユニットによって前記被呼者から取得された表示情報を前記発呼者に対して送信するように構成される送信サブユニットと
を備えることを特徴とする請求項１１に記載のシステム。
【請求項１４】
前記表示情報設定ユニットが、
前記発呼者に対して提供されるべき表示情報をあらかじめ格納するように構成される表示情報格納サブユニットと、
前記取得サブユニットから前記表示情報を取得する要求を受信した場合に、前記表示情報格納サブユニットに格納された表示情報をフィードバックするように構成される第１の表示情報フィードバックサブユニットと
を備えることを特徴とする請求項１３に記載のシステム。
【請求項１５】
前記表示情報設定ユニットが、
前記発呼者に対して提供されるべき少なくとも１つの表示情報を含む表示情報リストをあらかじめ格納するように構成される表示情報リスト格納サブユニットと、
前記取得サブユニットから前記表示情報を取得する要求を受信した場合に、前記表示情報リスト格納サブユニットに格納された前記表示情報リストを前記被呼者に対して表示するように構成される表示情報リスト表示サブユニットと、
前記表示情報リストの中の前記被呼者によって選択された表示情報を前記取得サブユニットに対してフィードバックするように構成される第２の表示情報フィードバックサブユニットと
を備えることを特徴とする請求項１３に記載のシステム。
【請求項１６】
前記取得及び送信ユニットが、
取得された前記表示情報のメディアフォーマットを変換すると共に、処理された変換表示情報を前記発呼者に対して送信するように構成されるメディアフォーマット変換サブユニットを更に備える
ことを特徴とする請求項１３に記載のシステム。
【請求項１７】
発呼者に対して表示情報を提供する被呼者のための方法であって、
前記発呼者に対して提供されるべき表示情報のアドレスを前記被呼者において事前設定する段階と、
前記被呼者が前記発呼者と前記被呼者との間の接続手順における呼び出しに応答する前に、ネットワーク側により、前記被呼者から事前設定された前記表示情報のアドレスを取得する段階と、
取得された前記アドレスに従って、対応するメディアソースから前記表示情報を獲得する段階と、
前記表示情報を前記発呼者に対して送信する段階と
を備えることを特徴とする方法。
【請求項１８】
前記ネットワーク側により、前記発呼者と前記被呼者との間の接続手順における前記被呼者の現在の状態情報を取得する段階と、
もし前記被呼者がアイドル状態である場合、前記被呼者から事前設定された前記表示情報のアドレスを取得する段階と
を更に備えることを特徴とする請求項１７に記載の方法。
【請求項１９】
前記表示情報のアドレスを取得する段階が、
前記ネットワーク側により、前記表示情報のアドレスを提供する前記被呼者の識別情報を格納する段階と、
前記ネットワーク側により、前記被呼者の識別情報が格納された被呼者の識別情報の中に存在すると判定した場合に、前記被呼者の識別情報に従って、表示情報のアドレスを取得する要求を対応する被呼者に対して送信する段階と、
前記被呼者により、受信された前記表示情報のアドレスを取得する要求に従って、前記表示情報のアドレスを前記ネットワーク側に対して送信する段階と
を備えることを特徴とする請求項１７に記載の方法。
【請求項２０】
前記方法が、前記ネットワーク側が前記表示情報を前記発呼者に対して送信する前に、前記表示情報のメディアフォーマットを変換する段階を更に備える
ことを特徴とする請求項１７に記載の方法。
【請求項２１】
発呼者に対して表示情報を提供する被呼者のためのシステムであって、
前記発呼者に対して提供された表示情報のアドレスを設定するように構成される表示情報アドレス設定ユニットを有する被呼者と、
前記被呼者が前記発呼者と前記被呼者との間の接続手順における呼び出しに応答する前に、前記被呼者側の前記表示情報アドレス設定ユニットから事前設定された前記表示情報のアドレスを取得するように構成される表示情報アドレス取得ユニット、及び前記表示情報アドレス取得ユニットによって取得された前記表示情報のアドレスに従って、対応するメディアソースから対応する表示情報を獲得すると共に、前記表示情報を前記発呼者に対して送信するように構成される獲得及び送信ユニットを有するネットワーク側と
を備えることを特徴とするシステム。
【請求項２２】
前記ネットワーク側が、
前記発呼者と前記被呼者との間の接続手順における被呼者状態情報を取得すると共に、もし前記被呼者が現在アイドル状態である場合、前記表示情報を前記発呼者に対して送信するように構成される被呼者状態取得ユニットを更に備える
ことを特徴とする請求項２１に記載のシステム。
【請求項２３】
前記表示情報アドレス取得ユニットが、
前記表示情報のアドレスを提供する各被呼者の識別情報をあらかじめ格納するように構成される被呼者識別情報格納サブユニットと、
前記被呼者の識別情報が被呼者識別情報格納サブユニットに格納された被呼者の識別情報の中に存在するか否かを判定するように構成される判定サブユニットと、
前記被呼者の識別情報が格納された被呼者の識別情報の中に存在すると前記判定サブユニットが判定した場合に、前記被呼者の識別情報に従って、表示情報のアドレスを取得する要求を対応する被呼者に対して送信するように構成される取得サブユニットと
を備えることを特徴とする請求項２１に記載のシステム。
【請求項２４】
前記表示情報アドレス設定ユニットが、
前記発呼者に対して提供されるべき表示情報のアドレスをあらかじめ格納するように構成される表示情報アドレス格納サブユニットと、
前記取得サブユニットから前記表示情報のアドレスを取得する要求を受信した場合に、前記表示情報アドレス格納サブユニットに格納された表示情報のアドレスをフィードバックするように構成される表示情報フィードバックサブユニットと
を備えることを特徴とする請求項２３に記載のシステム。
【請求項２５】
前記獲得及び送信ユニットが、
前記表示情報アドレス取得ユニットによって取得された前記表示情報のアドレスに従って、対応するメディアソースから表示情報を獲得するように構成される獲得サブユニットと、
前記獲得サブユニットによって前記メディアソースから獲得された前記表示情報を前記発呼者に対して送信するように構成される送信サブユニットと
を備えることを特徴とする請求項２１に記載のシステム。
【請求項２６】
前記獲得及び送信ユニットが、
前記獲得サブユニットによって前記メディアソースから獲得された前記表示情報のメディアフォーマットを変換すると共に、処理された変換表示情報を前記発呼者に対して送信するように構成されるメディアフォーマット変換サブユニットを備える
ことを特徴とする請求項２５に記載のシステム。
【発明の詳細な説明】
【技術分野】
【０００１】
本発明は、通信分野に関係すると共に、更に詳しくは、発呼者に対して表示情報を提供する被呼者のための方法及びシステムに関係する。
【背景技術】
【０００２】
呼び出し音サービスに関して、ユーザは、自分のための呼び出し音を登録することができ、すなわち、発呼者が被呼者に電話をかけるとき、ベルが鳴った後、被呼者が電話を取る（ピックアップする）前に、発呼者は、発呼者、被呼者、またはグループユーザによって登録された呼び出し音を聞くことになる。もし呼び出し音が発呼者によって登録された場合、それは発呼者呼び出し音であり；もし呼び出し音が被呼者によって登録された場合、それは被呼者呼び出し音であり；そしてもし呼び出し音がグループユーザによって登録された場合、それはグループユーザ呼び出し音である。呼び出し音サービスは、オペレータのネットワーク能力をエンドユーザーに利用可能にすると共に、ユーザに個性を示すためのサービス支援（service support）を提供する。このサービスは、個性を示すという近代人の強い要求を満たし、従って良いマーケットフィードバックを取得した。
【０００３】
音声表示の内の１つとして、呼び出し音は、ユーザに、オペレータのサーバに格納された事前設定された表示だけを提供し得る。更に、呼び出し音が音声の形式であるか画像の形式であるか否かに関係なく、それらは両方とも、電話メディアチャンネル（call media channel）で送信されるが、しかしながら、もし発呼者が、ＳＭＳを支援する電話、またはＧＰＲＳを支援するインテリジェント電話（intelligent phone）、またはワイファイ（Wi-Fi）、またはインテリジェント端末、または広帯域ネットワークに接続されたセットトップボックスのようなマルチパス端末（multi-path terminal）を使用している場合、これらの端末は、非電話メディアチャンネルにおける情報表示を支援し得る。
【発明の開示】
【発明が解決しようとする課題】
【０００４】
現在、呼び出し音サービスは、主として以下の方法で実現する。
【０００５】
「１．ＰＳＴＮに基づく固定ネットワーク呼び出し音実現ソリューション」
一般的に、ＰＳＴＮネットワークは、呼び出し音サービスを起動するために、被呼者端局（called party office）を使用することができる。その原理は、被呼者が呼び出し音を登録したと共に状態が許す場合、呼が処理されるべき呼び出し音サービスプラットフォームに届けられると共に、被呼者端局が呼出音サービスが２度起動されることを防止する能力を備えることができるように、被呼者端局が、ユーザの呼び出し音登録情報を記録すると共に、電話がかかったときに、呼び出し音登録情報を決定するというものである。ＰＳＴＮに基づく、固定されたネットワーク呼び出し音の実現は、図１において示される。
【０００６】
ＰＳＴＮネットワークが回路交換ドメインにおける回路呼び出しモードを採用するので、ユーザは、マルチメディアの呼び出し音を享受することができない。更に、ＰＳＴＮネットワークが伝統的な回路ネットワーク信号を採用するので、発呼者が被呼者に電話をかける間に、呼び出し音を変更することは難しい。従って、呼が確立される前に、ユーザは、一般的に、呼び出し信号データベース（ringing database）の中から呼び出し音を選択する。
【０００７】
「２．ＧＳＭに基づくモバイルネットワーク呼び出し音実現ソリューション」
ＧＳＭネットワークは、同様に、呼び出し音サービスを起動するために、被呼者端局を使用する。その原理は、被呼者が呼び出し音を登録したと共に状態が許す場合、呼が処理されるべき呼び出し音サービスプラットフォームに届けられることができるように、被呼者端局が、ユーザの呼び出し音登録情報を記録すると共に、電話がかかったときに、呼び出し音登録情報を決定するというものである。
【０００８】
一般的に、チャンネル切り替えのない方法が採用されると共に、すなわち、発呼者が被呼者に対して電話をかけるとき、被呼者が呼び出し音を聞くことができるように、呼び出し音サービスプラットフォームは、呼び出し情報に従って、登録された呼出音を再生すると共に、被呼者は、発呼者、被呼者、及び呼び出し音サービスプラットフォームの橋渡しを行い、被呼者が電話に応答した後で、発呼者と被呼者は通信を開始すると共に、呼び出し音経路が解放されることになる。ＧＳＭに基づく、モバイルネットワーク呼び出し音の実現は、図２において示される。
【０００９】
ＰＳＴＮネットワークが回路交換ドメインにおける回路呼び出しモードを採用するので、ユーザは、マルチメディアの呼び出し音を享受することができない。更に、ＰＳＴＮネットワークが伝統的な回路ネットワーク信号を採用するので、発呼者が被呼者に電話をかける間に、呼び出し音を変更することは難しい。従って、ユーザは、一般的に、呼が確立される前に、呼び出し信号データベース（ringing database）の中から呼び出し音を選択する。しかしながら、呼び出し音サービスのユーザが移動するとき、ＧＳＭモバイルネットワークの特性は、問題を解決し得る。
【００１０】
「３．ＮＧＮ／３Ｇに基づくパケットネットワークマルチメディア呼び出し音実現ソリューション」
一般的に、ＮＧＮ／３Ｇネットワークは、呼び出し音サービスを起動するために、ソフトスイッチの端局を使用する。その原理は、被呼者が呼び出し音を登録したと共に状態が許す場合、呼が処理されるべきマルチメディア呼び出し音サービスプラットフォームに届けられることができるように、被呼者端局が、ユーザの呼び出し音登録情報を記録すると共に、電話がかかったときに、呼び出し音登録情報を決定するというものである。一般的に、アプリケーションサーバは、発呼者、被呼者、及びマルチメディア呼び出し音サービスプラットフォームの間の接続及び切断に関与する。ＮＧＮ／３Ｇに基づく、パケットネットワークマルチメディア呼び出し音の実現は、図３において示される。
【００１１】
ＮＧＮ／３Ｇネットワークがパッケージ交換ドメインにおけるパッケージ呼び出しモードを採用するので、ユーザは、マルチメディア呼び出し音を享受することができる。しかしながら、ＮＧＮ／３Ｇネットワークの信号切り替えモードが伝統的な回路ネットワーク信号切り替え方法を採用するので、発呼者が被呼者に電話をかける間に、マルチメディア呼び出し音を変更することは、まだ難しい。従って、ユーザは、一般的に、呼が確立される前に、マルチメディア呼び出し信号データベース（multi-media ringing database）の中からマルチメディア呼び出し音を選択する。
【課題を解決するための手段】
【００１２】
本発明は、発呼者が柔軟に被呼者に対して提供された表示情報を選択し得るように、発呼者に対して表示情報を提供する被呼者のための方法を提供する。
【００１３】
本発明は、被呼者から発呼者に対して表示情報を提供するための方法であって、発呼者に対して提供されるべき表示情報を被呼者において事前設定する段階と、被呼者が発呼者と被呼者との間の接続手順における呼び出しに応答する前に、ネットワーク側が、被呼者から事前設定された表示情報を取得すると共に、表示情報を発呼者に対して送信する段階とを有する方法を開示する。
【００１４】
本発明は、それによって被呼者がネットワーク側を通じて表示情報を発呼者に対して提供する、被呼者から発呼者に対して表示情報を提供するためのシステムであって、発呼者に対して提供されるべき表示情報を設定するための表示情報設定ユニットを有する被呼者と、被呼者が発呼者と被呼者との間の接続手順における呼び出しに応答する前に、被呼者側の表示情報設定ユニットから設定表示情報を取得すると共に、発呼者に対して表示情報を送信するための取得及び送信ユニットを有するネットワーク側とを備えるシステムを更に開示する。
【００１５】
本発明は、発呼者に対して表示情報を提供する被呼者のための方法であって、発呼者に対して提供されるべき表示情報のアドレスを被呼者において設定する段階と、被呼者が発呼者と被呼者との間の接続手順における呼び出しに応答する前に、ネットワーク側が、被呼者から事前設定された表示情報のアドレスを取得する段階と、取得された表示情報のアドレスに従って、対応するメディアソースから対応する表示情報を獲得する段階と、表示情報を発呼者に対して送信する段階とを有する方法を更に開示する。
【００１６】
本発明は、それによって被呼者がネットワーク側を通じて表示情報を発呼者に対して提供する、発呼者に対して表示情報を提供するためのシステムであって、発呼者に対して提供されるべき表示情報のアドレスを設定するための表示情報アドレス設定ユニットを有する被呼者と、被呼者が発呼者と被呼者との間の接続手順における呼び出しに応答する前に、被呼者側の表示情報アドレス設定ユニットから事前設定された表示情報のアドレスを取得するための表示情報アドレス取得ユニットを有するネットワーク側と、表示情報アドレス取得ユニットによって取得された表示情報のアドレスに従って、対応するメディアソースから対応する表示情報を獲得すると共に、表示情報を発呼者に対して送信するための獲得及び送信ユニットとを備えるシステムを更に開示する。
【発明の効果】
【００１７】
本発明を使用することによって、被呼者は柔軟に表示情報を設定することができると共に、被呼者は表示情報をネットワーク側に設定する必要がない。ユーザは表示情報データベースの中から選択された表示情報を単調に提供し得るだけであるという問題が、解決される。その特性は、ユーザに、自由選択表示情報を享受させることになると同時に、ネットワークオペレータに、まだサービスの制御機能を保持させることになる。
【発明を実施するための最良の形態】
【００１８】
本発明の設計は、信号制御モードを採用し、被呼者は、発呼者に対して提供される表示情報を選択し得ると共に、このシステムの装置は、少しだけ修正されることが必要とされる。更に、被呼者が呼び出しに応答しない場合、発呼者の基本通信料金は請求されない。
【００１９】
開示を考慮した結果、被呼者のための表示情報は、表示情報データベースばかりでなく被呼者クライアントによっても提供され得ると共に、表示情報を提供する手順は、リアルタイムに対話的であり、それと同時にネットワーク側によって制御される。
【００２０】
図４は、本発明の実施例による、被呼者から発呼者に対して表示情報を提供する第１の方法の実現化の原則を示すフローチャートであり、主な実現化の手順は、以下の通りである。
【００２１】
ステップＳ１０：発呼者に対して提供されるべき表示情報が被呼者において設定される。好ましくは、表示情報は、発呼者が被呼者に電話をかけると共に、被呼者が電話を取る前に、発呼者に対して提供され得るユーザ端末に事前に格納される。被呼者における、発呼者に対して提供されるべき表示情報は、（呼出音情報のような）オーディオ情報、または（発呼者に対して再生される一篇のビデオ情報のような）ビデオ情報、またはオーディオ及びビデオ情報、または（発呼者に対して送信される１つの挨拶情報のような）テキスト情報であり得る。
【００２２】
ステップＳ２０：ネットワーク側は、被呼者が発呼者と被呼者との間の接続手順における呼び出しに応答する前に、被呼者から事前設定された表示情報を取得すると共に、表示情報を発呼者に対して送信する。
【００２３】
ネットワーク側は、発呼者と被呼者との間の接続手順における（アイドル状態（idle status）、通信中状態（in communication status）、及び接続不能状態（unable to be connected status）等を含んでいる）被呼者の現在の状態情報を取得すると共に、被呼者がアイドル状態である場合、被呼者から現在の表示情報を取得し、表示情報を発呼者に対して送信する。
【００２４】
ステップＳ２０におけるネットワークサイドによって被呼者から事前設定された表示情報を取得する手順は、具体的に以下の通りである。
【００２５】
１）．ネットワーク側は、表示情報を提供する各被呼者の識別情報を事前に格納すると共に、ここで、各被呼者の識別情報は、被呼者の国際移動電話加入者識別番号（ＩＭＳＩ）を含むが、しかしそれに限定されない。
【００２６】
２）．発呼者が被呼者を呼び出している間、ネットワーク側は、被呼者の識別情報がステップ１）において格納された被呼者の識別情報の中に存在すると判定した場合に、被呼者の識別情報に従って、表示情報を取得する要求を対応する被呼者に対して送信する。
【００２７】
３）．被呼者は、受信された表示情報を取得する要求に応答して、事前設定された表示情報をネットワーク側に対して送信する。
【００２８】
被呼者は、例えば、一篇のビデオ漫画を発呼者Ｂに対して提供している間に、一篇の音楽を発呼者Ａに対して提供するように、異なる発呼者に対して異なる種類の表示情報を提供することを被呼者に要求する発呼者に対して、異なる種類の表示情報を提供し得ると共に、具体的な実現化の手順は、以下の通りである。
【００２９】
１１）異なる発呼者に対する異なる種類の表示情報が被呼者において事前設定されて、割り当て関係が、異なる発呼者に対する異なる種類の表示情報と対応する発呼者の識別情報との間で、それぞれ確立され得ると共に、ここで発呼者の識別情報は、発呼者の国際移動電話加入者識別番号（ＩＭＳＩ）を含むが、しかしそれに限定されない。
【００３０】
１２）表示情報を取得する要求が、ネットワーク側から被呼者に対して送信され得ると共に、要求は、発呼者の識別情報を含む。
【００３１】
１３）被呼者は、受信された表示情報を取得する要求の中の発呼者の識別情報、及び表示情報と発呼者の識別情報との間の割り当て関係に従って、対応する表示情報にインデックスを付けると共に、次に、被呼者が異なる種類の表示情報を異なる発呼者に対して提供するということが認識されるように、表示情報をネットワーク側に対して送信する。
【００３２】
代りに、被呼者が発呼者から電話を受けるとき、被呼者は端末における表示情報データベースの中から１つの表示情報を選択すると共に、それをネットワーク側に対して送信し得る。具体的な処理手順は、以下の通りである。
【００３３】
被呼者は、発呼者に対して提供されるべき少なくとも１つの表示情報を含む表示情報リストを事前設定する（ここで、表示情報リストの内容は、異なる表示情報の名前及び性質等であり得る。）と共に、毎回、被呼者は、ネットワーク側から表示情報を取得する要求を受信し、被呼者は、事前設定された表示情報リストを分析して被呼者に対して表示する。
【００３４】
被呼者は、表示された表示情報リストから送信されることを希望する１つの表示情報を選択すると共に、被呼者は、ネットワーク側に対して被呼者によって選択された表示情報を送信する。
【００３５】
ネットワーク側が被呼者から対応する表示情報を取得した後で、発呼者の端末が、表示情報を支援しない可能性があり、従って、そのメディアフォーマットは、発呼者の端末によって支援され得るフォーマットに変換されるべきであり、その後、ネットワーク側は、変換された表示情報を発呼者に対して送信する。
【００３６】
ステップＳ２０の後で、もしネットワーク側が、被呼者が電話をとったことを発見する場合、ネットワーク側は、取得された表示情報を発呼者に対して送信するのを中止すると共に、発呼者と被呼者は正常な通信過程に入る。
【００３７】
本発明の実施例の第１の方法に対応して、本発明は、発呼者に対して表示情報を提供する被呼者のためのシステムを提供する。図５は、本発明の実施例による、被呼者から発呼者に対して表示情報を提供するための第１のシステムの主構造を示すブロック図であると共に、主構造は、被呼者１０における表示情報設定ユニット１０１と、ネットワーク側２０における取得及び送信ユニット２０１とを備え、表示情報設定ユニット１０１は、発呼者に対して提供されるべき表示情報を設定するように構成され、取得及び送信ユニット２０１は、被呼者が発呼者と被呼者との間の接続手順における呼び出しに応答する前に、被呼者１０における表示情報設定ユニット１０１から、設定された表示情報を取得すると共に、表示情報を発呼者３０に対して送信するように構成される。
【００３８】
また、好ましくは、ネットワーク側２０は、発呼者と被呼者との間の接続手順における被呼者１０の状態情報を取得するための被呼者状態取得ユニット２０２を更に備えると共に、被呼者が現在アイドル状態であると被呼者状態取得ユニット２０２が取得する場合、取得及び送信ユニット２０１は、表示情報の取得と、発呼者１０に対する表示情報の送信を実行する。
【００３９】
図６は、本発明の第１の実施例による第１のシステムの表示情報設定ユニットと取得及び送信ユニットの構造を示すブロック図である。図６を参照すると、取得及び送信ユニット２０１は、具体的には、被呼者識別情報格納サブユニット２０１１と、判定サブユニット２０１２と、取得サブユニット２０１３と、メディアフォーマット変換サブユニット２０１４と、送信サブユニット２０１５とを備え、表示情報設定ユニット１０１は、具体的には、表示情報格納サブユニット１０１１と、第１の表示情報フィードバックサブユニット１０１２とを備える。各サブユニットの機能は、以下の通りである。
【００４０】
表示情報格納サブユニット１０１１は、発呼者３０に対して提供されるべき表示情報をあらかじめ格納するように構成される。
【００４１】
被呼者識別情報格納サブユニット２０１１は、表示情報を提供する各被呼者の識別情報をあらかじめ格納するように構成される。
【００４２】
判定サブユニット２０１２は、被呼者の識別情報が被呼者識別情報格納サブユニット２０１１に格納された被呼者の識別情報の中に存在するか否かを判定するように構成される。
【００４３】
取得サブユニット２０１３は、被呼者の識別情報が格納された被呼者の識別情報の中に存在すると判定サブユニット２０１２が判定した場合に、被呼者の識別情報に従って、表示情報を取得する要求を対応する被呼者に対して送信するように構成される。
【００４４】
第１の表示情報フィードバックサブユニット１０１２は、取得サブユニット２０１３から表示情報を取得する要求を受信した場合に、表示情報格納サブユニット１０１１に格納された表示情報を取得サブユニット２０１３に対してフィードバックするように構成される。
【００４５】
メディアフォーマット変換サブユニット２０１４は、取得サブユニット２０１３によって被呼者から取得された表示情報のメディアフォーマットを変換するように構成される。（ここで、このユニットは任意であると共に、被呼者によって提供される表示情報のメディアフォーマットが変換される必要がない場合、このユニットを設定する必要はない。）
【００４６】
送信サブユニット２０１５は、取得サブユニット２０１３によって被呼者から取得された表示情報（またはメディアフォーマット変換サブユニット２０１４によって変換された表示情報）を発呼者３０に対して送信するように構成される。
【００４７】
図７は、本発明の第２の実施例による第１のシステムの表示情報設定ユニットと取得及び送信ユニットの構造を示すブロック図である。図７を参照すると、取得及び送信ユニット２０１は、具体的には、被呼者識別情報格納サブユニット２０１１と、判定サブユニット２０１２と、取得サブユニット２０１３と、メディアフォーマット変換サブユニット２０１４と、送信サブユニット２０１５とを備え、表示情報設定ユニット１０１は、具体的には、表示情報リスト格納サブユニット１０１３と、表示情報リスト表示サブユニット１０１４と、第２の表示情報フィードバックサブユニット１０１５とを備える。各サブユニットの機能は、以下の通りである。
【００４８】
表示情報リスト格納サブユニット１０１３は、発呼者３０に対して提供されるべき少なくとも１つの表示情報を含む表示情報リストをあらかじめ格納するように構成される
【００４９】
被呼者識別情報格納サブユニット２０１１は、表示情報を提供する各被呼者の識別情報をあらかじめ格納するように構成される。
【００５０】
判定サブユニット２０１２は、被呼者の識別情報が被呼者識別情報格納サブユニット２０１１に格納された被呼者の識別情報の中に存在するか否かを判定するように構成される。
【００５１】
取得サブユニット２０１３は、被呼者の識別情報が格納された被呼者の識別情報の中に存在すると判定サブユニット２０１２が判定した場合に、被呼者の識別情報に従って、表示情報を取得する要求を対応する被呼者に対して送信するように構成される。
【００５２】
表示情報リスト表示サブユニット１０１４は、取得サブユニット２０１３から表示情報を取得する要求を受信した場合に、表示情報リスト格納サブユニットに格納された表示情報リストを被呼者に対して表示するように構成される。
【００５３】
第２の表示情報フィードバックサブユニット１０１５は、表示情報リストの中の被呼者によって選択された表示情報を、取得サブユニット２０１３に対してフィードバックするように構成される。
【００５４】
メディアフォーマット変換サブユニット２０１４は、取得サブユニット２０１３によって被呼者から取得された表示情報のメディアフォーマットを変換するように構成される。（ここで、このユニットは任意であると共に、被呼者によって提供される表示情報のメディアフォーマットが変換される必要がない場合、このユニットを設定する必要はない。）
【００５５】
送信サブユニット２０１５は、取得サブユニット２０１３によって被呼者から取得された表示情報（またはメディアフォーマット変換サブユニット２０１４によって変換された表示情報）を発呼者３０に対して送信するように構成される。
【００５６】
図８は、本発明による、被呼者から発呼者に対して表示情報を提供する第２の方法の実現化の原則を示すフローチャートであり、主な実現化の手順は、以下の通りである。
【００５７】
ステップＳ１００：発呼者に対して提供されるべき表示情報のアドレスが被呼者において設定される。
【００５８】
ステップＳ１１０：ネットワーク側は、被呼者が発呼者と被呼者との間の接続手順における呼び出しに応答する前に、被呼者から事前に設定された表示情報のアドレスを取得する。
【００５９】
ステップＳ１２０：ネットワーク側は、表示情報アドレスに従って、対応するメディアソースから対応する表示情報を獲得し、獲得された表示情報を発呼者に対して送信すると共に、ここで、表示情報は、オーディオ情報、またはビデオ情報、またはオーディオ及びビデオ情報、またはテキスト情報等である。
【００６０】
ネットワーク側は、発呼者と被呼者との間の接続手順における（アイドル状態（idle status）、通信中状態（in communication status）、及び接続不能状態（unable to be connected status）等を含んでいる）被呼者の現在の状態情報を取得すると共に、被呼者がアイドル状態である場合、ステップＳ１１０における被呼者からの現在の表示情報の取得を実行する。
【００６１】
ステップＳ１１０における、ネットワーク側による、事前設定された表示情報のアドレスの被呼者からの取得の手順は、具体的には以下の通りである。
【００６２】
１．１）．ネットワーク側は、表示情報を提供する各被呼者の識別情報を事前に格納すると共に、ここで、各被呼者の識別情報は、被呼者の国際移動電話加入者識別番号（ＩＭＳＩ）を含むが、しかしそれに限定されない。
【００６３】
１．２）．発呼者が被呼者を呼び出している処理の間、ネットワーク側は、被呼者の識別情報がステップ１．１）において格納された被呼者の識別情報の中に存在すると判定した場合に、被呼者の識別情報に従って、表示情報のアドレスを取得する要求を対応する被呼者に対して送信する。
【００６４】
１．３）．被呼者は、受信された表示情報のアドレスを取得する要求に応答して、対応する事前設定された表示情報をネットワーク側に対して送信する。
【００６５】
被呼者は、例えば、一篇のビデオ漫画のアドレスを発呼者Ｂに対して提供している間に、一篇の音楽のアドレスを発呼者Ａに対して提供するように、異なる発呼者に対して異なる種類の表示情報のアドレスを提供することを被呼者に要求する発呼者に対して、異なる種類の表示情報のアドレスを提供し得ると共に、具体的な実現化の手順は、以下の通りである。
【００６６】
１．１１）異なる発呼者に対する異なる種類の表示情報のアドレスが被呼者において事前設定されて、割り当て関係が、異なる発呼者に対する異なる種類の表示情報のアドレスと対応する発呼者の識別情報との間で確立されると共に、ここで発呼者の識別情報は、発呼者の国際移動電話加入者識別番号（ＩＭＳＩ）を含むが、しかしそれに限定されない。
【００６７】
１．１２）ネットワーク側から被呼者に対して送信される表示情報のアドレスを取得する要求は、発呼者の識別情報を含んでいる。
【００６８】
１．１３）被呼者は、受信された表示情報のアドレスを取得する要求の中の発呼者の識別情報、及び表示情報のアドレスと発呼者の識別情報との間の割り当て関係に従って、対応する表示情報アドレスにインデックスを付けると共に、次に、被呼者が異なる種類の表示情報のアドレスを異なる発呼者に対して提供することができるように、表示情報アドレスをネットワーク側に対して送信する。
【００６９】
代りに、被呼者が発呼者から電話を受けるとき、被呼者は端末における表示情報アドレスデータベースの中から１つの表示情報アドレスを選択すると共に、それをネットワーク側に対して送信し得る。具体的な処理手順は、以下の通りである。
【００７０】
被呼者は、発呼者に対して提供されるべき少なくとも１つの表示情報アドレスを含む表示情報アドレスリストを被呼者において事前設定すると共に、毎回、被呼者は、ネットワーク側から表示情報のアドレスを取得する要求を受信し、被呼者は、事前設定された表示情報アドレスリストを分析して被呼者に対して表示する。
【００７１】
被呼者は、表示された表示情報アドレスリストから１つの推奨する表示情報アドレスを選択すると共に、被呼者は、ネットワーク側に対して被呼者によって選択された表示情報アドレスを送信する。
【００７２】
ネットワーク側が、被呼者から対応する表示情報アドレスを取得すると共に、対応する表示情報を獲得した後で、発呼者の端末が、表示情報を支援しない可能性があり、従って、そのメディアフォーマットは、発呼者の端末によって支援され得るフォーマットに変換されるべきであり、その後、ネットワーク側は、変換された表示情報を発呼者に対して送信する。
【００７３】
ステップＳ１２０の後で、もしネットワーク側が、被呼者が電話をとったことを発見する場合、ネットワーク側は、メディアソースから獲得された表示情報を発呼者に対して送信するのを中止すると共に、発呼者と被呼者は正常な通信過程に入る。
【００７４】
本発明の第２の方法に対応して、本発明は、発呼者に対して表示情報を提供する被呼者のためのシステムを提供する。図９は、本発明の実施例による、被呼者から発呼者に対して表示情報を提供するための第２のシステムの主構造を示すブロック図であると共に、主構造は、被呼者１０における表示情報アドレス設定ユニット１０２と、ネットワーク側２０における表示情報アドレス取得ユニット２０３、そして獲得及び送信ユニット２０４とを備え、表示情報アドレス設定ユニット１０２は、発呼者に対して提供されるべき表示情報のアドレスを設定するように構成され、表示情報アドレス取得ユニット２０３は、被呼者が発呼者と被呼者との間の接続手順における呼び出しに応答する前に、被呼者１０における表示情報アドレス設定ユニット１０２から事前設定された表示情報のアドレスを取得するように構成される。
【００７５】
獲得及び送信ユニット２０４は、表示情報アドレス取得ユニット２０３によって取得された表示情報のアドレスに従って、対応するメディアソースから対応する表示情報を獲得すると共に、表示情報を被呼者３０に対して送信するように構成される。
【００７６】
また、好ましくは、ネットワーク側２０は、発呼者と被呼者との間の接続手順における被呼者１０の状態情報を取得するための被呼者状態取得ユニット２０２を更に備えると共に、被呼者１０が現在アイドル状態であると被呼者状態取得ユニット２０２が取得する場合、表示情報アドレス取得ユニット２０３は、表示情報のアドレスの取得を実行する。
【００７７】
図１０は、本発明の実施例による第２のシステムの、表示情報アドレス設定ユニット、表示情報アドレス取得ユニット、そして獲得及び送信ユニットの構造を示すブロック図であると共に、ここで、表示情報アドレス設定ユニット１０２は、具体的に、表示情報アドレス格納サブユニット１０２１と、表示情報フィードバックサブユニット１０２２とを備え、表示情報アドレス取得ユニット２０３は、具体的に、被呼者識別情報格納サブユニット２０３１と、判定サブユニット２０３２と、取得サブユニット２０３３とを備え、獲得及び送信ユニット２０４は、具体的に、獲得サブユニット２０４１と、メディアフォーマット変換サブユニット２０４２と、送信サブユニット２０４３とを備える。各サブユニットの機能は、以下の通りである。
【００７８】
表示情報アドレス格納サブユニット１０２１は、発呼者３０に対して提供されるべき表示情報のアドレスをあらかじめ格納するように構成される。
【００７９】
被呼者識別情報格納サブユニット２０３１は、表示情報のアドレスを提供する各被呼者の識別情報をあらかじめ格納するように構成される。
【００８０】
判定サブユニット２０３２は、被呼者の識別情報が被呼者識別情報格納サブユニット２０３１に格納された被呼者の識別情報の中に存在するか否かを判定するように構成される。
【００８１】
取得サブユニット２０３３は、被呼者の識別情報が格納された被呼者の識別情報の中に存在すると判定サブユニット２０３２が判定した場合に、被呼者の識別情報に従って、表示情報のアドレスを取得する要求を対応する被呼者に対して送信するように構成される。
【００８２】
表示情報フィードバックサブユニット１０２２は、取得サブユニット２０３３から表示情報のアドレスを取得する要求を受信した場合に、表示情報アドレス格納サブユニット１０２１に格納された表示情報のアドレスを取得サブユニット２０３３に対してフィードバックするように構成される。
【００８３】
獲得サブユニット２０４１は、表示情報アドレス取得ユニット２０３３によって取得された表示情報のアドレスに従って、対応するメディアソースから対応する表示情報を獲得するように構成される。
【００８４】
メディアフォーマット変換サブユニット２０４２は、獲得サブユニット２０４１によってメディアソースから獲得された表示情報のメディアフォーマットを変換するように構成される。（ここで、このユニットは任意であると共に、被呼者によって提供される表示情報のメディアフォーマットが変換される必要がない場合、このユニットを設定する必要はない。）
【００８５】
送信サブユニット２０４３は、獲得サブユニット２０４１によってメディアソースから獲得された表示情報（またはメディアフォーマット変換サブユニット２０４２によって変換された表示情報）を発呼者３０に対して送信するように構成される。
【００８６】
本発明の実用的な応用例において、ユーザが発呼者に対して提供されるべき表示情報を選択するサービスを使用し得る前に、彼または彼女は、オペレータが提供するサービスに加入するべきであり、すなわち、彼または彼女は、電話をかけられたときに選択された表示情報を発呼者に対して提供することになるということを、ネットワーク側に通知する。本発明におけるこの新しいサービスは、“被呼者情報表示サービス”と名前を付けられる。
【００８７】
図１１は、本ソリューションがＮＧＮネットワークに適用される場合の、ＮＧＮネットワークにおける機能エンティティの関係を示すブロック図である。ＮＧＮネットワークにおける本発明の実装のみがここで説明されるが、それはモバイルソフトスイッチネットワーク（mobile soft switch network）、第３世代ネットワーク（3G network）、インターネット、またはＧＰＲＳネットワークにおいても同様であり得る。ＮＧＮネットワークにおける機能エンティティの関係は、以下の通りである。
【００８８】
情報表示サーバ（Information Indication Server：ＩＩＳ）３は、被呼者情報表示サービスを処理するように構成される。
【００８９】
メディア処理サーバ（Media Process Server：ＭＰＳ）６は、被呼者から送信され得るメディア変換されるべき表示情報を処理するように構成される。
【００９０】
被呼者情報端末５は、被呼者から送信されるべき表示情報をネットワークを介して発呼者に対して送信するように構成されると共に、ここで、発呼者は通常端末及び知的端末であり得る。
【００９１】
コール／セッション制御サーバ（Call/Session Control Server：Ｃ／ＳＣＳ）２は、被呼者情報表示サービス起動基準に従って被呼者情報表示サービスを起動すると共に、ＩＩＳ３に対して処理されるべき表示情報を送信するために、発呼者と被呼者との間の接続手順を確立するように構成される。
【００９２】
メディアゲートウェイ（Media Gateway：ＭＧＷ）４は、コアネットワーク情報を、アクセスネットワークの種類に従って、被呼者に受け入れられる一般情報に変換するように構成される。
【００９３】
いくつかの場合において、ＭＧＷ４、及びＭＰＳ６は、同じ機能エンティティであり得る。
【００９４】
それによって被呼者が表示情報を発呼者に対してを提供する、本発明によるシステムにおける取得及び送信ユニットは、ＭＰＳ及びＭＧＷの中にあることができ、被呼者状態取得ユニットは、Ｃ／ＳＣＳの中にあることができると共に、表示情報アドレス取得ユニットは、ＩＩＳの中にあることができる。本発明の実装は、以下の４つの場合を有している。
【００９５】
１．被呼者が表示情報内容を提供すると共に、表示情報のメディアフォーマットが変換される必要がない場合の発呼者端末Ｔ−＞被呼者端末ＩＴ。
【００９６】
２．被呼者が格納された表示情報のアドレスを提供すると共に、表示情報のメディアフォーマットが変換される必要がない場合の発呼者端末Ｔ−＞被呼者端末ＩＴ。
【００９７】
３．被呼者が表示情報内容を提供すると共に、表示情報のメディアフォーマットが変換される必要がある場合の発呼者端末Ｔ−＞被呼者端末ＩＴ。
【００９８】
４．被呼者が格納された表示情報のアドレスを提供すると共に、表示情報のメディアフォーマットが変換される必要がある場合の発呼者端末Ｔ−＞被呼者端末ＩＴ。
【００９９】
前述の４つの場合のための実装処理手順は、以下で詳細に説明されることになる。
【０１００】
「実施例１の応用場面」
発呼者がＡであると共に被呼者がＢであり、被呼者の端末が、メディアフォーマットが変換される必要がない表示情報を提供すると共に、ネットワークを介して表示情報を発呼者Ａに対して直接送信すると仮定し、そして説明の利便のために、発呼者Ａと被呼者Ｂが同じネットワークに属すると仮定する。
【０１０１】
図１２は、本発明の第１の実施例の処理手順を示す方式図（scheme diagram）であると共に、メインの処理手順は以下の通りである。
【０１０２】
ａ１：被呼者Ｂ宛の全ての呼に関して、被呼者Ｂが対応する表示情報を発呼者に対して提供することを、ネットワーク側が知っているように、被呼者Ｂは、被呼者情報表示サービスをネットワーク側にあらかじめ登録する。
【０１０３】
ａ２：発呼者Ａが被呼者Ｂに対して電話をかける場合、呼出し情報が、ＭＧＷ４を介してＣ／ＳＣＳ２に送信される。
【０１０４】
ａ３：Ｃ／ＳＣＳ２は、呼出し情報を対応するＩＩＳ３に対して送信する共に、呼出し情報において、呼が被呼者情報表示サービスによる呼であることを示す。
【０１０５】
ａ４：ＩＩＳ３が受信された呼出し情報に従ってデータベースに問い合わせを行うと共に、被呼者Ｂが被呼者情報表示サービスに加入していたことを発見する場合、ＩＩＳ３は、呼出し情報を被呼者Ｂに転送すると共に、ここで、呼出し情報は、発呼者の数等のような発呼者Ａの情報（Ｃａｌｌ  ＩＤ＿Ａ）、及び被呼者情報表示サービスの識別情報（Ｆ）を含み、ＩＩＳ３は、以下の２つの方法において、被呼者Ｂと情報をやり取りすることができる。
【０１０６】
１）ＩＩＳ３は、通常の呼接続信号伝達を通して、呼出し情報を被呼者Ｂに対して送信する。すなわち、ＩＩＳ３は、Ｃ／ＳＣＳ２を介して呼出し情報を被呼者Ｂに対して送信するようにＣ／ＳＣＳ２を制御することによって、被呼者Ｂにアクセスする。
【０１０７】
２）ＩＩＳ３は、それ自身と被呼者Ｂとの間の自己定義されたインタフェースを介して、呼出し情報を被呼者Ｂに対して送信する。
【０１０８】
ａ５：ＩＩＳ３は、発呼者Ａからの呼を一時的に保留にするようにＣ／ＳＣＳ２を制御するか、またはネットワークにおいて、信号を直接横取りすることによって、デフォルトの被呼者表示情報を途中で奪う。
【０１０９】
ａ６：被呼者Ｂの端末は、受信された呼び出し情報の中の被呼者情報表示サービスの識別情報（Ｆ）に従って、対応する事前設定された表示属性情報（Ｉｎｆｏ＿Ｂ）を発呼者Ａに対して送信するか否かを判定する。
【０１１０】
被呼者Ｂの端末は、受信された呼び出し情報の中に含まれる発呼者Ａの情報（Ｃａｌｌ  ＩＤ＿Ａ）に従って、対応する事前設定された表示属性情報（Ｉｎｆｏ＿Ｂ）を決定し得るか、もしくは、被呼者が呼出し情報を受信するとき、それは、被呼者に対して、被呼者の表示属性情報データベースの中の各１つの表示属性情報を示すと共に、被呼者は、対応する事前設定された表示属性情報（Ｉｎｆｏ＿Ｂ）を選択する。
【０１１１】
被呼者Ｂは、決定された表示属性情報（Ｉｎｆｏ＿Ｂ）をＩＩＳ３に対して送信すると共に、被呼者Ｂは、以下の２つの方法において、ＩＩＳ３と情報をやり取りすることができる。
【０１１２】
１）被呼者Ｂは、通常の呼接続信号伝達を通して、決定された表示属性情報（Ｉｎｆｏ＿Ｂ）をＩＩＳ３に対して送信する。すなわち、被呼者Ｂは、Ｃ／ＳＣＳ２を介して、決定された表示属性情報（Ｉｎｆｏ＿Ｂ）をＩＩＳ３に対して送信する。
【０１１３】
２）被呼者Ｂは、それ自身と被呼者Ｂとの間の自己定義されたインタフェースを介して、決定された表示属性情報（Ｉｎｆｏ＿Ｂ）をＩＩＳ３に対して送信する。
【０１１４】
接続効率を向上させるために、次の処理手順における被呼者の対応する表示情報を取得することは、被呼者の状態が知られた後で実行され得る。例えば、被呼者が実際に接続されていると共に、被呼者端局（called party office）が被呼者の状態がアイドル状態であると返すとき、対応する表示情報が取得され得る。
【０１１５】
ａ７：ＩＩＳ３が被呼者から送信された表示属性情報（Ｉｎｆｏ＿Ｂ）を受信するとき、ＩＩＳ３は、表示属性情報（Ｉｎｆｏ＿Ｂ）を分析し、実際の表示情報のメディア記述情報（Ｍｅｄｉａ＿Ｂ）を取得すると共に、ここで、“Ｍｅｄｉａ＿Ｂ”は、実際のメディア内容ソース情報、被呼者Ｂによって提供された表示情報、または被呼者Ｂによって提供された表示情報のアドレスを示し、本実施例において、ＩＩＳ３は、“Ｍｅｄｉａ＿Ｂ”が被呼者Ｂによって提供された表示情報であるか否かを判定する。
【０１１６】
ａ８：ＩＩＳ３は、呼出し情報を被呼者Ｂに送信するようにＣ／ＳＣＳ２を制御すると共に、ここでこの呼出し情報は、被呼者情報表示サービスの識別情報（Ｆ）ではなく、発呼者Ａの情報（Ｃａｌｌ  ＩＤ＿Ａ）だけを伝送する。
【０１１７】
ａ９：被呼者Ｂの状態がアイドル状態であるとき、被呼者Ｂは、それがアイドル状態であることをＩＩＳ３に対してフィードバックする。
【０１１８】
ａ１０：被呼者Ｂがアイドル状態であることをＩＩＳ３が取得するとき、ＩＩＳ３は、被呼者Ｂによって提供された表示情報を発呼者Ａに対して送信するようにＭＧＷ４を制御することを、Ｃ／ＳＣＳ２に指示する。（すなわち、発呼者と被呼者との間の接続手順の間であると共に、被呼者Ｂが呼び出しに応答する前に、ＭＧＷ４は、被呼者Ｂから取得された表示情報を、発呼者Ａに対して送信することになる。）
【０１１９】
ａ１１：被呼者Ｂが電話を取る（ピックアップする）と、被呼者端局は、ピックアップ信号（picking up signal）をＩＩＳ３に対して送信する。
【０１２０】
ａ１２：ＩＩＳ３がピックアップ信号を受信した後で、ＩＩＳ３は、被呼者Ｂによって提供された表示情報を発呼者Ａに対して送信するのを中止するようにＭＧＷ４を制御することを、Ｃ／ＳＣＳ２に指示する。
【０１２１】
ａ１３：発呼者と被呼者との間の呼接続が確立されると共に、それらの間の通信が始まる。
【０１２２】
「実施例２の応用場面」
発呼者がＡであると共に被呼者がＢであり、被呼者の端末が、メディアフォーマットが変換される必要がない表示情報についてのアドレスを提供すると共に、ネットワークを介して表示情報を発呼者Ａに対して直接送信すると仮定し、そして説明の利便のために、発呼者Ａと被呼者Ｂが同じネットワークに属すると仮定する。
【０１２３】
図１３は、本発明の第２の実施例の処理手順を示す方式図であると共に、メインの処理手順は以下の通りである。
【０１２４】
ステップｂ１〜ｂ６は、前述の第１の実施例におけるステップａ１〜ａ６と同じである。
【０１２５】
ｂ７：ＩＩＳ３が被呼者から送信された表示属性情報（Ｉｎｆｏ＿Ｂ）を受信した後で、ＩＩＳ３は、表示属性情報（Ｉｎｆｏ＿Ｂ）を分析し、実際の表示情報のメディア記述情報（Ｍｅｄｉａ＿Ｂ）を取得すると共に、ここで、“Ｍｅｄｉａ＿Ｂ”は、実際のメディア内容ソース情報、被呼者Ｂによって提供された表示情報、または被呼者Ｂによって提供された表示情報のアドレスを示し、本実施例において、ＩＩＳ３は、“Ｍｅｄｉａ＿Ｂ”が被呼者Ｂによって提供された表示情報のアドレスであるか否かを判定する。
【０１２６】
ステップｂ８〜ｂ９は、前述の第１の実施例におけるステップａ８〜ａ９と同じである。
【０１２７】
ｂ１０：被呼者Ｂがアイドル状態であることをＩＩＳ３が取得するとき、ＩＩＳ３は、被呼者Ｂによって提供された表示情報のアドレスを発呼者Ａに対して送信すると共に、対応するメディアソースから対応する表示情報を獲得し、獲得された表示情報を発呼者Ａに対して送信するようにＭＧＷ４を制御することを、Ｃ／ＳＣＳ２に指示する。（すなわち、発呼者と被呼者との間の接続手順の間であると共に、被呼者Ｂが呼び出しに応答する前に、ＭＧＷ４は、被呼者Ｂによって提供された表示情報のアドレスに従って対応するメディアソースから獲得された表示情報を、発呼者Ａに対して送信する。）
【０１２８】
ステップｂ１１〜ｂ１３は、前述の第１の実施例におけるステップａ１１〜ａ１３と同じである。
【０１２９】
「実施例３の応用場面」
発呼者がＡであると共に被呼者がＢであり、被呼者の端末が、メディアフォーマットが変換される必要がある表示情報を提供すると共に、ネットワークを介して変換された表示情報を発呼者Ａに対して直接送信すると仮定し、そして説明の利便のために、発呼者Ａと被呼者Ｂが同じネットワークに属すると仮定する。
【０１３０】
図１４は、本発明の第３の実施例の処理手順を示す方式図であると共に、メインの処理手順は以下の通りである。
【０１３１】
ステップｃ１〜ｃ７は、前述の第１の実施例におけるステップａ１〜ａ７と同じである。
【０１３２】
ｃ８：ＩＩＳ３は、取得された表示情報のメディア記述情報（Ｍｅｄｉａ＿Ｂ）をＭＰＳ６に対して送信すると共に、ＭＰＳ６は、取得された表示情報のメディア記述情報（Ｍｅｄｉａ＿Ｂ）を変換する。
【０１３３】
ステップｃ９〜ｃ１０は、前述の第１の実施例におけるステップａ８〜ａ９と同じである。
【０１３４】
ｃ１１：被呼者Ｂがアイドル状態であることをＩＩＳ３が取得するとき、ＩＩＳ３は、ＭＰＳ６によって変換された表示情報を発呼者Ａに対して送信するようにＭＧＷ４を制御することを、Ｃ／ＳＣＳ２に指示する。（すなわち、発呼者と被呼者との間の接続手順の間であると共に、被呼者Ｂが呼び出しに応答する前に、ＭＧＷ４は、ＭＰＳ６によって変換された表示情報を、発呼者Ａに対して送信することになる。）
【０１３５】
ステップｃ１２〜ｃ１４は、前述の第１の実施例におけるステップａ１１〜ａ１３と同じである。
【０１３６】
「実施例４の応用場面」
発呼者がＡであると共に被呼者がＢであり、被呼者の端末が、メディアフォーマットが変換される必要がある表示情報についてのアドレスを提供すると共に、ネットワークを介して変換された表示情報を発呼者Ａに対して直接送信すると仮定し、そして説明の利便のために、発呼者Ａと被呼者Ｂが同じネットワークに属すると仮定する。
【０１３７】
図１５は、本発明の第４の実施例の処理手順を示す方式図であると共に、メインの処理手順は以下の通りである。
【０１３８】
ステップｄ１〜ｄ６は、前述の第１の実施例におけるステップａ１〜ａ６と同じである。
【０１３９】
ｄ７：ＩＩＳ３が被呼者から送信された表示属性情報（Ｉｎｆｏ＿Ｂ）を受信した後、ＩＩＳ３は、表示属性情報（Ｉｎｆｏ＿Ｂ）を分析し、実際の表示情報のメディア記述情報（Ｍｅｄｉａ＿Ｂ）を取得すると共に、ここで、“Ｍｅｄｉａ＿Ｂ”は、実際のメディア内容ソース情報、被呼者Ｂによって提供された表示情報、または被呼者Ｂによって提供された表示情報のアドレスを示し、本実施例において、ＩＩＳ３は、“Ｍｅｄｉａ＿Ｂ”が被呼者Ｂによって提供された表示情報のアドレスであるか否かを判定する。
【０１４０】
ｄ８：ＩＩＳ３は、被呼者Ｂによって提供された表示情報の取得されたアドレスに従って対応する表示情報を対応するメディアソースから獲得することを、ＭＰＳ６に指示する。
【０１４１】
ｄ９：ＭＰＳ６は、獲得された表示情報のメディアフォーマットを変換する。
【０１４２】
ステップｄ１０〜ｃｄ１１は、前述の第１の実施例におけるステップａ８〜ａ９と同じである。
【０１４３】
ｄ１２：被呼者Ｂがアイドル状態であることをＩＩＳ３が取得するとき、ＩＩＳ３は、ＭＰＳ６によって変換された表示情報を発呼者Ａに対して送信するようにＭＧＷ４を制御することを、Ｃ／ＳＣＳ２に指示する。（すなわち、発呼者と被呼者との間の接続手順の間であると共に、被呼者Ｂが呼び出しに応答する前に、ＭＧＷ４は、ＭＰＳ６によって変換された表示情報を、発呼者Ａに対して送信することになる。）
【０１４４】
ステップｄ１３〜ｄ１５は、前述の第１の実施例におけるステップａ１１〜ａ１３と同じである。
【０１４５】
本発明は、被呼者が、表示情報を柔軟に設定することができると共に、必要とされた表示情報をネットワーク側に設定する必要がないようにすることを可能にし、それは、ユーザがいくらかの範囲において表示情報を自由に選択することを可能にすると共に、オペレータがサービスに関する制御機能を維持することを可能にする。
【０１４６】
様々な修正及び変更が本発明において行われ得ることは、当業者にとって明白であろう。従って、それらが添付された請求項及びそれらの等価物の範囲内に入る限り、本発明がこの発明の修正及び変更をカバーするということが意図される。
【図面の簡単な説明】
【０１４７】
【図１】ＰＳＴＮに基づく、固定されたネットワーク呼び出し音の実現を示す構成図である。
【図２】ＧＳＭに基づく、モバイルネットワーク呼び出し音の実現を示す構成図である。
【図３】ＮＧＮ／３Ｇに基づく、パケットネットワークマルチメディア呼び出し音の実現を示す構成図である。
【図４】本発明の好ましい実施例による、被呼者から発呼者に対して表示情報を提供する方法の実現化の原則を示すフローチャートである。
【図５】本発明の好ましい実施例による、被呼者から発呼者に対して表示情報を提供するための第１のシステムの主構造を示すブロック図である。
【図６】本発明の好ましい実施例による第１のシステムの表示情報設定ユニットと取得及び送信ユニットの構造を示すブロック図である。
【図７】本発明の好ましい実施例による第１のシステムの表示情報設定ユニットと取得及び送信ユニットの構造を示すブロック図である。
【図８】本発明の実施例による、被呼者から発呼者に対して表示情報を提供する第２の方法の実現化の原則を示すフローチャートである。
【図９】本発明の実施例による、被呼者から発呼者に対して表示情報を提供するための第２のシステムの主構造を示すブロック図である。
【図１０】本発明の実施例による第２のシステムの、表示情報アドレス設定ユニット、表示情報アドレス取得ユニット、そして獲得及び送信ユニットの構造を示すブロック図である。
【図１１】本ソリューションがＮＧＮネットワークに適用される場合の、ＮＧＮネットワークにおける機能エンティティの関係を示す実施例のブロック図である。
【図１２】本発明の第１の実施例の処理手順を示す方式図（scheme diagram）である。
【図１３】本発明の第２の実施例の処理手順を示す方式図である。
【図１４】本発明の第３の実施例の処理手順を示す方式図である。
【図１５】本発明の第４の実施例の処理手順を示す方式図である。
【符号の説明】
【０１４８】
１    発呼者（端末）
２    コール／セッション制御サーバ（Call/Session Control Server：Ｃ／ＳＣＳ）
３    情報表示サーバ（Information Indication Server：ＩＩＳ）
４    メディアゲートウェイ（Media Gateway：ＭＧＷ）
５    被呼者（情報端末）
６    メディア処理サーバ（Media Process Server：ＭＰＳ）
１０    被呼者
２０    ネットワーク側
３０    発呼者
１０１    表示情報設定ユニット
１０２    表示情報アドレス設定ユニット
２０１    取得及び送信ユニット
２０２    被呼者状態取得ユニット
２０３    表示情報アドレス取得ユニット
２０４    獲得及び送信ユニット
１０１１    表示情報格納サブユニット
１０１２    第１の表示情報フィードバックサブユニット
１０１３    表示情報リスト格納サブユニット
１０１４    表示情報リスト表示サブユニット
１０１５    第２の表示情報フィードバックサブユニット
１０２１    表示情報アドレス格納サブユニット
１０２２    表示情報フィードバックサブユニット
２０１１    被呼者識別情報格納サブユニット
２０１２    判定サブユニット
２０１３    取得サブユニット
２０１４    メディアフォーマット変換サブユニット
２０１５    送信サブユニット
２０３１    被呼者識別情報格納サブユニット
２０３２    判定サブユニット
２０３３    取得サブユニット
２０４１    獲得サブユニット
２０４２    メディアフォーマット変換サブユニット
２０４３    送信サブユニット
【図１】
2009505532.tif 000003
【図２】
2009505532.tif 000004
【図３】
2009505532.tif 000005
【図４】
2009505532.tif 000006
【図５】
2009505532.tif 000007
【図６】
2009505532.tif 000008
【図７】
2009505532.tif 000009
【図８】
2009505532.tif 000010
【図９】
2009505532.tif 000011
【図１０】
2009505532.tif 000012
【図１１】
2009505532.tif 000013
【図１２】
2009505532.tif 000014
【図１３】
2009505532.tif 000015
【図１４】
2009505532.tif 000016
【図１５】
2009505532.tif 000017
【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
発呼者に対して表示情報を提供する被呼者のための方法であって、
前記発呼者に対して提供されるべき表示情報を前記被呼者において設定する段階と、
前記被呼者が前記発呼者と前記被呼者との間の接続手順における呼び出しに応答する前に、ネットワーク側により、前記表示情報を取得すると共に、取得された表示情報を前記発呼者に対して送信する段階と
を有することを特徴とする方法。
【請求項２】
前記表示情報を取得する前に、前記ネットワーク側により、前記発呼者と前記被呼者との間の接続手順における前記被呼者の現在の状態情報を取得する段階と、
前記表示情報を取得すると共に、もし前記被呼者がアイドル状態である場合、前記表示情報を前記発呼者に対して送信する段階と
を更に有することを特徴とする請求項１に記載の方法。
【請求項３】
前記表示情報を取得する段階が、
前記ネットワーク側により、前記表示情報を提供する前記被呼者の識別情報をあらかじめ格納する段階と、
前記ネットワーク側により、前記被呼者の識別情報が格納された被呼者の識別情報の中に存在すると判定した場合に、前記被呼者の識別情報に従って、表示情報を取得する要求を対応する被呼者に対して送信する段階と、
前記被呼者により、受信された前記表示情報を取得する要求に応答すると共に、前記表示情報を前記ネットワーク側に対して送信する段階と
を有することを特徴とする請求項１に記載の方法。
【請求項４】
異なる発呼者に対する異なる種類の表示情報が、前記被呼者において事前設定されると共に、
割り当て関係が、発呼者の表示情報と発呼者の識別情報との間で確立される
ことを特徴とする請求項３に記載の方法。
【請求項５】
前記被呼者に対して送信された表示情報を取得する要求が、前記発呼者の識別情報を含み、
前記被呼者が、受信された要求の中の前記発呼者の識別情報に従って、対応する表示情報にインデックスを付けると共に、前記表示情報を前記ネットワーク側に対して送信する
ことを特徴とする請求項３に記載の方法。
【請求項６】
前記表示情報を設定する段階が、前記発呼者に対して提供された少なくとも１つの表示情報を含む表示情報のリストを設定する段階を更に有し、
前記受信された表示情報を取得する要求に応答すると共に、表示情報をネットワーク側に対して送信する段階が、
前記着呼者により、前記ネットワーク側から表示情報を取得する要求を受信した場合に、前記表示情報のリストから少なくとも１つの表示情報を選択する段階と、
選択された選択表示情報を前記ネットワーク側に対して送信する段階とを有する
ことを特徴とする請求項３に記載の方法。
【請求項７】
取得された前記表示情報を送信する前に、前記ネットワーク側が、取得された前記表示情報のメディアフォーマットを変換する
ことを特徴とする請求項１に記載の方法。
【請求項８】
前記表示情報が、オーディオ情報、ビデオ情報、オーディオ及びビデオ情報、またはテキスト情報である
ことを特徴とする請求項１に記載の方法。
【請求項９】
発呼者に対して表示情報を提供する被呼者のためのシステムであって、
被呼者とネットワーク側とを備え、
前記被呼者が、前記発呼者に対して提供されるべき表示情報を設定するように構成され、
前記ネットワーク側は、前記被呼者が前記発呼者と前記被呼者との間の接続手順における呼び出しに応答する前に、前記被呼者から設定表示情報を取得すると共に、前記表示情報を前記発呼者に対して送信するように構成される
ことを特徴とするシステム。
【請求項１０】
前記ネットワーク側が、前記発呼者と前記被呼者との間の接続手順における被呼者状態情報を取得すると共に、もし前記被呼者が現在アイドル状態である場合、前記表示情報を前記発呼者に対して送信するように構成される
ことを特徴とする請求項９に記載のシステム。
【請求項１１】
前記ネットワーク側が、
前記表示情報を提供する被呼者の識別情報を格納し、
前記被呼者の識別情報が該被呼者の識別情報の中に格納されている場合に、前記被呼者の識別情報に従って、表示情報を取得する要求を被呼者に対して送信すると共に、
前記被呼者から取得された表示情報を前記発呼者に対して送信するように更に構成される
ことを特徴とする請求項９に記載のシステム。
【請求項１２】
前記被呼者が、
前記発呼者に対して提供されるべき表示情報を格納すると共に、
前記ネットワーク側から前記表示情報を取得する要求を受信した場合に、前記被呼者側に格納された表示情報を前記ネットワーク側に対してフィードバックするように更に構成される
ことを特徴とする請求項９に記載のシステム。
【請求項１３】
発呼者に対して表示情報を提供する被呼者のための方法であって、
前記発呼者に対して提供されるべき表示情報のアドレスを前記被呼者において事前設定する段階と、
前記被呼者が前記発呼者と前記被呼者との間の接続手順における呼び出しに応答する前に、ネットワーク側により、前記被呼者から事前設定された前記表示情報のアドレスを取得する段階と、
取得された前記アドレスに従って、対応するメディアソースから前記表示情報を獲得する段階と、
前記表示情報を前記発呼者に対して送信する段階と
を備えることを特徴とする方法。
【請求項１４】
前記ネットワーク側により、前記発呼者と前記被呼者との間の接続手順における前記被呼者の現在の状態情報を取得する段階と、
もし前記被呼者がアイドル状態である場合、前記被呼者から事前設定された前記表示情報のアドレスを取得する段階と
を更に備えることを特徴とする請求項１３に記載の方法。
【請求項１５】
前記表示情報のアドレスを取得する段階が、
前記ネットワーク側により、前記表示情報のアドレスを提供する前記被呼者の識別情報を格納する段階と、
前記ネットワーク側により、前記被呼者の識別情報が格納された被呼者の識別情報の中に存在すると判定した場合に、前記被呼者の識別情報に従って、表示情報のアドレスを取得する要求を対応する被呼者に対して送信する段階と、
前記被呼者により、受信された前記表示情報のアドレスを取得する要求に従って、前記表示情報のアドレスを前記ネットワーク側に対して送信する段階と
を備えることを特徴とする請求項１３に記載の方法。
【請求項１６】
前記方法が、前記ネットワーク側が前記表示情報を前記発呼者に対して送信する前に、前記表示情報のメディアフォーマットを変換する段階を更に備える
ことを特徴とする請求項１３に記載の方法。
【請求項１７】
発呼者に対して表示情報を提供する被呼者のためのシステムであって、
被呼者とネットワーク側とを備え、
前記被呼者が、前記発呼者に対して提供されるべき表示情報のアドレスを事前設定するように構成され、
前記ネットワーク側は、前記被呼者が前記発呼者と前記被呼者との間の接続手順における呼び出しに応答する前に、前記被呼者から表示情報のアドレスを取得し、
取得された前記表示情報のアドレスに従って、対応するメディアソースから表示情報を獲得すると共に、前記表示情報を前記発呼者に対して送信するように構成される
ことを特徴とするシステム。
【請求項１８】
前記ネットワーク側が、前記発呼者と前記被呼者との間の接続手順における被呼者状態情報を取得すると共に、もし前記被呼者がアイドル状態である場合、前記表示情報のアドレスを取得するように更に構成される
ことを特徴とする請求項１７に記載のシステム。
【請求項１９】
前記ネットワーク側が、
前記表示情報のアドレスを提供する被呼者の識別情報を格納し、
もし前記被呼者の識別情報がネットワーク側に格納されている場合に、前記被呼者の識別情報に従って、表示情報のアドレスを取得する要求を対応する被呼者に対して送信すると共に、前記被呼者において取得された前記表示情報のアドレスを前記発呼者に対して送信するように更に構成される
ことを特徴とする請求項１７に記載のシステム。
【請求項２０】
前記被呼者が、
前記発呼者に対して提供されるべき表示情報のアドレスを格納すると共に、
取得サブユニットから前記表示情報のアドレスを取得する要求を受信した場合に、表示情報アドレス格納サブユニットに格納された表示情報のアドレスをフィードバックするように更に構成される
ことを特徴とする請求項１９に記載のシステム。
【請求項２１】
前記ネットワーク側が、
取得された前記表示情報のアドレスに従って、対応するメディアソースから対応する表示情報を獲得すると共に、獲得された前記表示情報を前記発呼者に対して送信するように更に構成される
ことを特徴とする請求項１７に記載のシステム。
【請求項２２】
前記ネットワーク側が、
獲得された前記表示情報のメディアフォーマットを変換すると共に、処理された変換表示情報を前記発呼者に対して送信するように更に構成される
ことを特徴とする請求項２１に記載のシステム。
【請求項２３】
表示情報を提供するための通信装置であって、
前記通信装置に電話をかけるユーザ端末に対して提供されるべき表示情報を設定するように構成される表示情報設定ユニットを備え、
前記通信装置が、表示情報を取得する要求を受信した場合に、前記通信装置が前記通信装置と前記ユーザ端末との間の接続手順における呼び出しに応答する前に、前記表示情報設定ユニットに設定された表示情報を前記ユーザ端末に対して提供する
ことを特徴とする通信装置。
【請求項２４】
前記表示情報設定ユニットが、
前記ユーザ端末に対して提供されるべき少なくとも１つの表示情報を含む表示情報リストをあらかじめ格納するように構成される表示情報リスト格納サブユニットと、
前記表示情報を取得する要求を受信した場合に、前記表示情報リスト格納サブユニットに格納された前記表示情報リストを前記通信装置のユーザに対して表示するように構成される表示情報リスト表示サブユニットとを備え、
前記通信装置が、前記表示情報リストの中の前記通信装置のユーザによって選択された表示情報を前記通信装置に電話をかけるユーザ端末に対してフィードバックするように構成される
ことを特徴とする請求項２３に記載の通信装置。
【請求項２５】
表示情報を提供するための通信装置であって、
前記通信装置に電話をかけるユーザ端末に提供されるべき表示情報を取得するための情報を設定するように構成される設定ユニットを備え、
前記通信装置が、表示情報を取得する要求を受信した場合に、前記通信装置が前記通信装置と前記ユーザ端末との間の接続手順における呼び出しに応答する前に、前記設定ユニットに設定された表示情報を取得するための情報を取得装置に対して提供し、
前記取得装置が、前記通信装置から受信された表示情報を取得する要求に従って、表示情報を取得すると共に、取得された表示情報をユーザ端末に対して送信する
ことを特徴とする通信装置。
【請求項２６】
前記設定情報が、前記表示情報のアドレスである
ことを特徴とする請求項２５に記載の通信装置。
【手続補正３】
【補正対象書類名】明細書
【補正対象項目名】００１４
【補正方法】変更
【補正の内容】
【００１４】
本発明の一実施例は、それによって被呼者がネットワーク側を通じて表示情報を発呼者に対して提供する、被呼者から発呼者に対して表示情報を提供するためのシステムであって、発呼者に対して提供されるべき表示情報を設定するための表示情報設定ユニットを有する被呼者と、被呼者が発呼者と被呼者との間の接続手順における呼び出しに応答する前に、被呼者側の表示情報設定ユニットから表示情報のセットを取得すると共に、発呼者に対して表示情報を送信するための取得及び送信ユニットを有するネットワーク側とを備えるシステムを更に開示する。
【手続補正４】
【補正対象書類名】明細書
【補正対象項目名】００１８
【補正方法】変更
【補正の内容】
【００１８】
本発明の設計は、信号制御モードを採用し、被呼者は、発呼者に対して提供される表示情報を自由に選択し得ると共に、このシステムの装置は、少しだけ修正されることが必要とされる。更に、被呼者が呼び出しに応答しない場合、発呼者の基本通信料金は請求されない。
【手続補正５】
【補正対象書類名】明細書
【補正対象項目名】００３３
【補正方法】変更
【補正の内容】
【００３３】
被呼者は、発呼者に対して提供されるべき少なくとも１つの表示情報を含むと共に、その表示情報リストの内容が、異なる表示情報の名前及び性質等であり得る表示情報リストを事前設定すると共に、毎回、被呼者は、ネットワーク側から表示情報を取得する要求を受信し、被呼者は、事前設定された表示情報リストを分析して被呼者に対して表示する。
【国際調査報告】
2009505532.tif 000018
2009505532.tif 000019
2009505532.tif 000020
2009505532.tif 000021